(57)【要約】【課題】蝶番のフロント部側蝶片における薄肉部の軸方向長さをできるだけ長く設定すると共に、そのことによって薄肉部の単位長さ当りの曲げ角度をできるだけ緩やかにし、しかも眼鏡フレームを折り畳んだ際の厚みを増大させないメガネフレームとすることである。【解決手段】眼鏡フレームの蝶番２のフロント部側の蝶片４に、上下面のなだらかな円曲面状に凹んだ薄肉部４ａを形成し、この薄肉部４ａの塑性曲げ変形によって、テンプル３の傾斜角度θの調整を可能にした眼鏡フレームにおいて、フロント部側蝶片４の先端をフロント部１の裏面１ａに形成された略楕円状で有底穴５の底部に固定し、有底穴５内の空間で自在に薄肉部４ａの塑性曲げ変形を可能にした眼鏡フレームとする。薄肉部４ａの長さは、有底穴５の深さだけ長く設けられ、これによって薄肉部４ａの曲げ角度を緩やかにして歪量を抑える。【選択図】図１
2013068713.tif 000002
【特許請求の範囲】
【請求項１】
眼鏡フレームのフロント部に蝶番を介して一対のテンプルを連結し、前記蝶番のフロント部側蝶片が薄肉部を有し、この薄肉部の塑性曲げ変形によってテンプルの傾斜角度調整を可能にした眼鏡フレームにおいて、
前記フロント部側蝶片を、フロント部裏面に形成された穴内に保持し、この穴内で前記薄肉部の塑性曲げ変形を可能にした眼鏡フレーム。
【請求項２】
上記フロント部側蝶片が、フロント部裏面に形成された有底穴内の底部に固定されているフロント部側蝶片である請求項１に記載の眼鏡フレーム。
【請求項３】
上記薄肉部が、棒状のフロント部側蝶片のくびれた細径部分からなる薄肉部である請求項１または２に記載の眼鏡フレーム。
【発明の詳細な説明】
【技術分野】
【０００１】
この発明は、眼鏡フレームに関し、特にその蝶番に装着感の調整機能を持たせた眼鏡フレームに関するものである。
【背景技術】
【０００２】
一般に、眼鏡は、眼鏡フレームのフロント部にレンズに嵌めこみ、このフロント部の両側部に蝶番を介して連結されたテンプルを有している。その眼鏡フレームは、着用する際にテンプルを耳に掛け、フロント部の中央に取り付けられた鼻当てパッドを鼻に当てて装着される。
【０００３】
しかし、ヒトの顔面形状には個人差があるため、耳の高さや顔形は必ずしも一定でなく、フレームが保持する眼鏡レンズをヒトの眼前の正しい位置に配置でき、適正距離と角度で顔に接近させかつ装着感が良い状態であるように左右のツルの傾斜角度を調整する必要がある。
【０００４】
そのため、眼鏡販売店などでは、眼鏡を購入した客に対して個人差に合わせた上記調整作業を行なっている。
図５に示すように調整作業では、眼鏡フレームのテンプル２０の要所を図中の鎖線部分に示すように曲げ変形させて、テンプル２０の軸線のフロント部２１に対する傾斜角度を調節して眼鏡レンズをヒトの眼前の正しい位置に配置し、装着感も良くなるように調整する。
【０００５】
図５、６に示す眼鏡フレームは、上記した幅広や肉厚のテンプルであってもテンプル２０の角度調整に対応できるものであり、蝶番２２のフロント部側の蝶片２３が薄肉部２４を有し、この薄肉部２４の塑性曲げ変形によってテンプル２０の傾斜角度θの調整を可能である。
【先行技術文献】
【特許文献】
【０００６】
【特許文献１】特開２００３−２１５５０５号公報
【発明の概要】
【発明が解決しようとする課題】
【０００７】
ところで、眼鏡フレームは、図６の蝶番２２のフロント部側の蝶片２３における薄肉部２４の長さｌ３を前記蝶片２３の長手方向にできるだけ長く形成することが好ましく、それによってテンプル２０の傾斜角度θの調整を容易にし、かつ薄肉部２４の部分の長さ当りの曲げ角度をできるだけ緩やかにして歪みを小さくする。
【０００８】
しかし、蝶番２２のフロント部側の蝶片２３をあまり長く形成すると、フロント部２１から大きく離れた位置に蝶番２２の回転軸が配置されることになり、テンプル２０はフロント部２１と重ね合わせるように折り畳んだ際に、それらの重ね厚みが大きく嵩張ってしまうという問題点がある。
【０００９】
このような問題が起こらないように蝶番２２の回転軸の位置をフロント部２１にできるだけ近づけて配置すると、薄肉部２４についても長さｌ３を充分に長く形成することは困難であり、このような薄肉部２４によって塑性曲げ変形した際の長さ当りの曲げ角度は急角度になりやすく、これでは歪みを小さくして薄肉部２４の強度を充分に保つことが困難であるという問題点がある。
【００１０】
また、テンプルが幅広で肉厚の樹脂などの素材で形成されている場合、微妙なテンプルの曲げ変形は困難であるから、このような蝶番のフロント部側蝶片における精密な曲げ調整が特に必要になる。
【００１１】
そこで、この発明の課題は、上記した問題点を解決して、眼鏡フレームを折り畳んだ際の厚みを増大させない眼鏡フレームであり、しかも蝶番のフロント部側蝶片における薄肉部の軸方向長さをできるだけ長く設定し、そのことによって薄肉部の単位長さ当りの曲げ角度をできるだけ緩やかにし、歪みを小さくして薄肉部を含むフロント部側蝶片の強度を充分に保てる眼鏡フレームとすることである。
【課題を解決するための手段】
【００１２】
上記の課題を解決するために、この発明では、眼鏡フレームのフロント部に蝶番を介して一対のテンプルを連結し、前記蝶番のフロント部側蝶片が薄肉部を有し、この薄肉部の塑性曲げ変形によってテンプルの傾斜角度調整を可能にした眼鏡フレームにおいて、前記フロント部側蝶片を、フロント部裏面に形成された穴内に保持し、この穴内で前記薄肉部の塑性曲げ変形を可能にした眼鏡フレームとしたのである。
【００１３】
上記したように構成されるこの発明の眼鏡フレームは、蝶番のテンプルに対する取り付け位置を変更することなく、フロント部裏面に形成された穴内に差し込める長さに応じてフロント部側蝶片を長く設けることができる。これによって、薄肉部の曲げ角度をできるだけ緩やかにし、しかも眼鏡フレームを折り畳んだ際の厚みを増大させないメガネフレームとなる。
【００１４】
その場合、フロント部側蝶片をできるだけ長く設け、かつ確実に固定するために、上記フロント部側蝶片が、フロント部裏面に形成された有底穴内の底部に固定されているフロント部側蝶片であることが好ましい。
【００１５】
また、テンプルの傾斜角度調整を眼鏡の装着者の顔の上下方向ばかりでなく、斜め上下方向など、様々な方向の傾斜角度に対応できる調整にするために、上記薄肉部が棒状のフロント部側蝶片のくびれた細径部分からなり、棒状の軸回りの全方向に曲げ変形可能な薄肉部であることが好ましい。
【００１６】
また、塑性曲げ変形に関わる薄肉部を適切な長さで形成し、この薄肉部をフロント部に形成された穴内でできるだけ奥に（前方に）配置することにより、テンプルの後端部と曲げ変形部分との距離は、従来の穴外に薄肉部が配置された場合よりも長くなり、それだけテンプルの傾斜角度θの調整量を小さくしてテンプル後端部の位置調整を大きくすることができる。
【発明の効果】
【００１７】
この発明は、眼鏡フレームのフロント部側蝶片を、フロント部裏面に形成された穴内に保持し、この穴内で前記薄肉部の塑性曲げ変形を可能にしたので、蝶番のフロント部側蝶片における薄肉部の軸方向長さをできるだけ長く設定することができるようになり、そのことによって調整のための薄肉部の曲げ角度をできるだけ緩やかにして歪みを小さくし、しかも眼鏡フレームを折り畳んだ際の厚みを増大させないメガネフレームとなる利点がある。
【図面の簡単な説明】
【００１８】
【図１】第１実施形態の眼鏡フレームの要部を示す斜視図
【図２】図１のII−II線拡大断面図
【図３】第２実施形態の眼鏡フレームの要部の拡大断面図
【図４】図３の一部断面側面図
【図５】従来の眼鏡フレームの要部を示す斜視図
【図６】図５のVI−VI線拡大断面図
【発明を実施するための形態】
【００１９】
この発明の実施形態を以下に添付図面に基づいて説明する。
図１、２に示すように、第１実施形態は、眼鏡フレームのフロント部１の左右両端部の裏面１ａに蝶番２を介して左右一対のテンプル３を連結し、蝶番２のフロント部側の蝶片４が、その長手方向の中ほどに、上下面のなだらかな円曲面状に凹んだ薄肉部４ａを形成し、この薄肉部４ａの塑性曲げ変形（図２に鎖線で示す変形）によって、テンプル３の傾斜角度θの調整を可能にした眼鏡フレームである。
【００２０】
フロント部側蝶片４は、その先端の板状アンカー部４ｂをフロント部１の裏面１ａに形成された略楕円状で有底穴５の底部に加熱により溶着または軟化した樹脂に埋設して固定されており、このように保持された有底穴５内の空間内で自在に薄肉部４ａの塑性曲げ変形を可能にした眼鏡フレームである。
【００２１】
眼鏡フレームは、例えば主たる材料がアセテートやポリアミドなどの合成樹脂、金属、天然素材その他周知のメガネフレーム用素材からなり、穴あけや溶融接着による組立作業は、周知の穿孔用工具や加熱手段を用いて可能である。また、主たる材料以外にも、ステンレス鋼やチタンなどの金属、その他の材料を用いた複合素材からなる眼鏡フレームであってもよいのは勿論である。
【００２２】
蝶番２のテンプル側の蝶片６は、眼鏡用蝶番として周知形態のものを採用でき、テンプル３の樹脂部分３ａおよび金属部分３ｂを複合したテンプル３について、その金属部分３ｂと一体に固定されており、その固定方法はロウ付け、埋め込み、一体成形のいずれであってもよい。
【００２３】
図示した蝶番２は、テンプル３の最大開き角度を規制する機能はなく、自在に回動できるが、一対の蝶片同士の開き角度が開きすぎてテンプル３の先端がフロント部１の裏面１ａに当たれば開き角度は規制される。または蝶番２のねじ２ａの締まり具合によって任意の開き角度で静止する調整がなされている。
【００２４】
上記した蝶番２のフロント部側の蝶片４における薄肉部４ａの長さｌ１（図２参照）は、有底穴５の深さ（または穴の深さのうち差し込み長さ）だけ、有底穴５を有しない場合よりも長く設けられており、これによって薄肉部４ａの曲げ角度を緩やかにして歪量を抑え、しかもテンプル側の蝶片６は、蝶番２の回転軸フロント部１から大きく離して配置することなく、通常形態のものを通常に配置できるので、眼鏡フレームは、折り畳んだ際の厚みを必要以上に増大させないものとなっている。
【００２５】
なお、この発明におけるフロント部裏面に形成される穴の形態は、図示した有底穴５に限定されるものではなく、例えば貫通穴や差し込み長さ以上の深穴であってもよく、また穴の形状も円穴、角穴などの周知形態を採用することができる。
【００２６】
また、薄肉部４ａの形状についても図示形状に限定されるものではなく、フロント部側の蝶片４の上下面に、それぞれ幅広の溝状切り欠きを形成したものや、凹部を上下面ばかりでなく片側面や両側面を切り欠いて形成し、例えば軸回り全周を薄肉化した細径部分であってもよい。
【００２７】
次に、図３、４に示す第２実施形態については、第１実施形態と同様に蝶番７のフロント部側の蝶片８を、フロント部１の裏面１ａに形成された有底穴９内に保持し、この有底穴９内で薄肉部８ａの任意の塑性曲げ変形を可能にした眼鏡フレームである。
【００２８】
第２実施形態の第１実施形態との相違点は、有底穴９が、椀状の凹部９ａと、テンプル側の蝶片１０の先端に整合する小型の嵌め込み穴部９ｂとを複合した二重穴であること、薄肉部８ａが棒状のフロント部側の蝶片８におけるくびれた細径部分からなること、およびテンプル側の蝶片１０が、フロント部側の蝶片４に対して突合せによる回転規制が可能な凸部１０ａを有していること、さらにテンプル側の蝶片１０は鋼などの弾性を有する板状素材で形成されていることであり、その他の第１実施形態と同一の構成部分については前記同様の作用効果を奏する。
【００２９】
そして，第２実施形態の薄肉部８ａは、略棒状のフロント部側の蝶片８におけるくびれた細径部分からなることにより、テンプル１１の傾斜角度調整を装着者の顔の上下方向ばかりでなく、左右や斜め上下方向など、多方向の傾斜角度に対応できるものになっている。
【００３０】
また、蝶番７の機能によりテンプル１１の開き角度を規制できるため、テンプル１１の先端とフロント部１との距離を離すデザインも可能となり、より自由なテンプル１１の形態やその傾斜角度調整に対応できるものである。
【００３１】
さらにまた、テンプル側の蝶片１０は、板ばね状の弾性素材で形成されているため、眼鏡フレームは装着者の顔によくフィットし、ズレ止めの効果も奏するものになっている。
【００３２】
なお、フロント部側の蝶片８は、フロント部１に形成された有底穴９の嵌め込み穴部９ｂに対して、差込の長さを適切に調整するための長孔を有し、この長孔の要所にねじ１２で締付け固定されている。また、蝶番７のテンプル側の蝶片１０は、テンプル１１の本体部分にボルト（図示せず）で固定できる。
【００３３】
第２実施形態も蝶番７のフロント部側の蝶片８における薄肉部８ａの長手（軸）方向の長さが、フロント部側の蝶片８を有底穴９内に差し込める長さだけ、このような有底穴９を有しない場合よりも長く設けられており、第１実施形態と同様に薄肉部８ａの曲げ角度を緩やかにして歪を抑え、しかも蝶番７のテンプル側の蝶片１０は、回転軸の位置をフロント部１から大きく後退させることなく、眼鏡フレームを折り畳んだ際の厚みを増大させない眼鏡フレームとなっている。
【符号の説明】
【００３４】
１、２１  フロント部
１ａ  裏面
２、７、２２  蝶番
２ａ、１２  ねじ
３、１１、２０  テンプル
４、８、２３  フロント部側の蝶片
４ａ、８ａ、２４  薄肉部
４ｂ  板状アンカー部
５、９  有底穴
６、１０  テンプル側の蝶片
θ  角度
【図１】
2013068713.tif 000003
【図２】
2013068713.tif 000004
【図３】
2013068713.tif 000005
【図４】
2013068713.tif 000006
【図５】
2013068713.tif 000007
【図６】
2013068713.tif 000008